(57)【要約】【課題】   監視カメラを無線化して設置作業の簡易化を可能とし、且つコストアップを抑制できる監視カメラシステムを提供する。【解決手段】  監視カメラ装置１とサーバ２とが汎用通信ネットワークＮを介して接続され、監視カメラ装置１は汎用通信ネットワークＮに無線接続する無線通信部１ｂを有してカメラ１１を備えた監視カメラ部１ａと、無線通信部１ｂとが分離可能に形成されて、監視カメラ部１ａと無線通信部１ｂとはＬＡＮケーブルＬ１により接続され、無線通信部１ｂはＬＡＮケーブルＬ１を介して監視カメラ部１ａに電源を供給するＰｏＥ送電部２０を有する。【選択図】  図１
2016208410.tif 000002
【特許請求の範囲】
【請求項１】
監視カメラ装置と前記監視カメラ装置の撮像映像を保存する映像保存手段とが、汎用通信ネットワークを介して接続されて成る監視カメラシステムであって、
前記監視カメラ装置は、前記汎用通信ネットワークに無線接続する無線通信部を有し、カメラを備えた監視カメラ部と、前記無線通信部とが分離可能に形成されて成ることを特徴とする監視カメラシステム。
【請求項２】
分離された前記監視カメラ部と前記無線通信部とはＬＡＮケーブルで接続され、
前記無線通信部は、前記ＬＡＮケーブルを介して前記監視カメラ部に電源を供給する電源供給手段を有することを特徴とする請求項１記載の監視カメラシステム。
【発明の詳細な説明】
【技術分野】
【０００１】
本発明は、防犯の為に設置される監視カメラとその撮像映像を保存する映像保存手段とを有し、両者が汎用通信ネットワークを介して接続された監視カメラシステムに関する。
【背景技術】
【０００２】
防犯のために不審者や不法侵入者を撮像する監視カメラを設置し、その撮像映像を通信ネットワークを介して送信してサーバ等の映像保存手段に保存する監視カメラシステムが普及している。
このようなシステムでは、監視カメラはＨＵＢ等を介してインターネット等の汎用通信ネットワークに接続され、警備会社や管理者宅に設置されたサーバ等の映像記録装置に映像データを送信して録画させている（例えば、特許文献１参照）。
【先行技術文献】
【特許文献】
【０００３】
【特許文献１】特開２０１３−１８７７２５号公報
【発明の概要】
【発明が解決しようとする課題】
【０００４】
上記したように、監視カメラの撮像映像を汎用通信ネットワークを介して送信して映像記録装置に録画する場合、監視カメラをＨＵＢやルータを介して汎用通信ネットワークに接続しなければならないため、配線作業や接続作業が面倒であった。特に土木工事現場や建設現場のような日々環境が変化する場所では、不審者は比較的侵入し易いにも関わらず、監視カメラの設置はその電源の確保や通信線の配線等が厄介であり簡単ではなかった。
【０００５】
そこで、面倒な設置作業を改善するために、監視カメラを無線化することが考えられる。無線化すれば、汎用通信ネットワークとの接続においてＨＵＢやルータを介する必要がないため作業の簡略化がきる。しかしながら、無線機能を加えることで監視カメラが大型なものとなり重量も増すため、その取り付け自体が簡単ではなくなるし、設置場所も制限される。
【０００６】
本発明はこのような問題点に鑑み、監視カメラを無線化して設置作業の簡易化を可能とし、且つ監視カメラの設置もし易い監視カメラシステムを提供することを目的としている。
【課題を解決するための手段】
【０００７】
上記課題を解決する為に、請求項１の発明は、監視カメラ装置と監視カメラ装置の撮像映像を保存する映像保存手段とが、汎用通信ネットワークを介して接続されて成る監視カメラシステムであって、監視カメラ装置は、汎用通信ネットワークに無線接続する無線通信部を有し、カメラを備えた監視カメラ部と、無線通信部とが分離可能に形成されて成ることを特徴とする。
この構成によれば、監視カメラ部を屋外に設置しても無線通信部を室内に設置することが可能となり、監視カメラ部自体は小型にでき設置し易い。また、無線通信部は屋外に設置する必要がないため雨水対策をしなくとも良く、安価にできる。
【０００８】
請求項２の発明は、請求項１に記載の構成において、分離された監視カメラ部と無線通信部とはＬＡＮケーブルで接続され、無線通信部は、ＬＡＮケーブルを介して監視カメラ部に電源を供給する電源供給手段を有することを特徴とする。
この構成によれば、ＬＡＮケーブルが監視カメラ部と無線通信部との間に配設されるだけで、監視カメラ部が起動してその撮像映像が送信されるため、分離しても簡易な配線で両者を接続できる。
【発明の効果】
【０００９】
本発明によれば、監視カメラ部を屋外に設置しても無線通信部を室内に設置することが可能となり、監視カメラ部自体は小型にでき設置し易い。また、無線通信部は屋外に設置する必要がないため雨水対策をしなくとも良く、安価にできる。
【図面の簡単な説明】
【００１０】
【図１】本発明に係る監視カメラシステムの一例を示す構成図である。
【図２】監視カメラ装置の回路ブロック図である。
【発明を実施するための形態】
【００１１】
以下、本発明を具体化した実施の形態を、図面を参照して詳細に説明する。図１は本発明に係る監視カメラシステムの一例を示す構成図であり、１は監視カメラ装置、２は映像保存手段としてのサーバを示し、監視カメラ装置１とサーバ２とはインターネット、携帯電話網等の汎用通信ネットワークＮを介して接続されている。
尚、映像保存手段はサーバでなくとも良く、ＮＶＲ等の監視カメラ専用の録画装置であっても良い。
【００１２】
監視カメラ装置１は、監視カメラ部１ａと無線通信部１ｂとから成り、両者はＬＡＮケーブルＬ１で接続されている。但し、図１では監視カメラ部１ａと無線通信部１ｂとを別体として示しているが、両者を連結して一体にすることも可能な構造となっている。その場合、ＬＡＮケーブルＬ１は両者の間に設けられた収容部（図示せず）に収容される。
【００１３】
図２は監視カメラ装置１の回路ブロック図を示している。図２に示すように、監視カメラ部１ａは、撮像素子を備えたカメラ１１、映像信号を処理する映像信号処理部１２、監視カメラ部１ａの各部を制御する監視カメラＣＰＵ１３、監視カメラ部１ａの駆動電源を生成する給電部１４、給電部１４に電力を供給するＰｏＥ受電部１５、無線通信部１ｂと通信する監視カメラＩＦ１６等を備えている。尚、ＰｏＥはPower over Ethernet（登録商標）の略であり、無線通信部１ｂからＬＡＮケーブルＬ１を介して給電部１４に電力が供給される。
【００１４】
無線通信部１ｂは、汎用通信ネットワークＮを介してサーバ２に映像データを無線送信する無線通信ＩＦ１７、サーバアドレス等を記憶するメモリ１８、商用電源に接続して無線通信部１ｂの各回路に電源を供給する電源部１９、ＬＡＮケーブルＬ１を介して監視カメラ部１ａに電力を供給するＰｏＥ送電部２０、無線通信部１ｂを制御する無線通信部ＣＰＵ２１、監視カメラ部１ａと通信するカメラＩＦ２２等を備えている。ＰｏＥ送電部２０からＬＡＮケーブルＬ１を介して監視カメラ部１ａに電源が供給される。
【００１５】
このように構成された監視カメラシステムの動作は以下の様である。無線通信部１ｂが商用電源に接続されたら、無線通信部１ｂに電源が供給されて起動すると共に、ＰｏＥ送電部２０によりカメラＩＦ２２、ＬＡＮケーブルＬ１を介して監視カメラ部１ａに電力が供給される。
監視カメラ部１ａのＰｏＥ受電部１５は、ＬＡＮケーブルＬ１を介して受信した電力を給電部１４に供給し、監視カメラ部１ａの各回路に供給される。この結果、監視カメラ部１ａが起動して撮像を開始し、映像信号の送信が開始される。
【００１６】
映像信号を監視カメラ部１ａから受信した無線通信部１ｂは、無線通信部ＣＰＵ２１が予め指定されたサーバ２に対して無線送信し、汎用通信ネットワークＮ、即ち携帯電話網及びインターネットを介してサーバ２に送信される。サーバ２に送信された映像は、所定の記録エリアに保存され、パーソナルコンピュータや携帯端末等からパスワード等の入力操作でアクセスでき、保存された映像は閲覧される。
【００１７】
このように、監視カメラ部１ａと無線通信部１ｂとを分離可能としたため、監視カメラ部１ａを屋外に設置しても無線通信部１ｂを室内に設置することが可能となり、無線通信部１ｂに雨水対策をしなくとも良く、安価にできる。また、監視カメラ部１ａを小型にできるため設置し易い。
また、ＬＡＮケーブルＬ１により監視カメラ部１ａと無線通信部１ｂとを接続するだけで、監視カメラ部１ａが起動してその撮像映像が送信されるため、分離しても簡易な配線で両者を接続できサーバ２へ映像の送信ができる。
【００１８】
尚、上記実施形態では、監視カメラ部１ａと無線通信部１ｂとの間をＬＡＮケーブルＬ１により接続しているが、両者を一体化して設置する場合は、ＬＡＮケーブルＬ１を使用せずに両者に別途コネクタを設けてコネクタ同士を接続しても良い。
【符号の説明】
【００１９】
１・・監視カメラ装置、１ａ・・監視カメラ部、１ｂ・・無線通信部、２・・サーバ（映像保存手段）、１１・・カメラ、１５・・ＰｏＥ受電部、２０・・ＰｏＥ送電部（電源供給手段）、Ｌ１・・ＬＡＮケーブル。
【図１】
2016208410.tif 000003
【図２】
2016208410.tif 000004